(57)【要約】【課題】機器を首からぶら下げるためのストラップについて、首の後ろでも、紐部材の左右長さの調整を容易にする。【解決手段】機器を首からぶら下げるためのストラップ１は、紐部材１０と、紐部材１０の両端にそれぞれ設けられ、ストラップ１を機器に取り付けるための第１および第２取付部１１，１２と、紐部材１０における、第１取付部１１と第２取付部１２との間の中央部に固定された指標部材１３とを備える。【選択図】図１
0003206252.tif 000002
【実用新案登録請求の範囲】
【請求項１】
機器を首からぶら下げるためのストラップであって、
紐部材と、
前記紐部材の両端にそれぞれ設けられ、当該ストラップを前記機器に取り付けるための第１および第２取付部と、
前記紐部材における、前記第１取付部と前記第２取付部との間の中央部に固定された指標部材とを備えた
ことを特徴とするストラップ。
【請求項２】
請求項１記載のストラップにおいて、
細長の板状に形成された板状部材を備え、
前記板状部材は、一方の表面に、長手方向に沿って延びる、前記紐部材を挿通させるための第１および第２貫通孔が、長手方向における中央部に対して対称になるように、それぞれ形成されており、
前記紐部材を、前記第１および第２貫通孔に、前記板状部材の長手方向における中央部側からそれぞれ挿通させた状態で、用いられる
ことを特徴とするストラップ。
【考案の詳細な説明】
【技術分野】
【０００１】
本考案は、例えば、前方を照射するライトなどを首にかけて装着するためのストラップに関するものである。
【背景技術】
【０００２】
特許文献１では、使用勝手が良くかつネックレスのような装飾品としても活用し得る首かけライトとして、柔らかい材質の首かけ紐と、該首かけ紐の両端を互いに反対方向へ挿通して首輪を形成するための貫通孔を有する作輪部材と、該作輪部材に照射方向調整可能に取り付けられた点灯装置とを有する構成が開示されている。
【先行技術文献】
【特許文献】
【０００３】
【特許文献１】登録実用新案第３１９６１０４号公報
【考案の概要】
【考案が解決しようとする課題】
【０００４】
例えば夜釣りや登山等の際には、自分の手許や前方を光で照らすためのライトを、首にかけて胸の前に装着したいというニーズがある。このライトのような機器にストラップを付けて首にかける場合、機器がちょうどいい位置、すなわち体前面の中央で水平になるように、ストラップの左右の長さを調整したい。ところが、首の後ろで、ストラップの左右長さが対称になるように調整することは、困難である。
【０００５】
本考案は、かかる点に鑑みてなされたものであり、その目的は、機器を首からぶら下げるためのストラップについて、首の後ろでも、紐部材の左右長さの調整を容易にすることにある。
【課題を解決するための手段】
【０００６】
本考案の一態様では、機器を首からぶら下げるためのストラップは、紐部材と、前記紐部材の両端にそれぞれ設けられ、当該ストラップを前記機器に取り付けるための第１および第２取付部と、前記紐部材における、前記第１取付部と前記第２取付部との間の中央部に固定された指標部材とを備える。
【０００７】
この態様によると、ユーザは、機器にストラップを取り付けて首にかけた状態で、指標部材に手で触れることによって、紐部材の真ん中の位置を認識することができる。これにより、首からぶら下げた機器がちょうどいい位置になるように、紐部材の長さを左右対称に調整することが容易になる。
【０００８】
また、前記態様のストラップは、細長の板状に形成された板状部材を備え、前記板状部材は、一方の表面に、長手方向に沿って延びる、前記紐部材を挿通させるための第１および第２貫通孔が、長手方向における中央部に対して対称になるように、それぞれ形成されており、前記紐部材を、前記第１および第２貫通孔に、前記板状部材の長手方向における中央部側からそれぞれ挿通させた状態で、用いられてもよい。
【０００９】
これにより、紐部材を板状部材の第１および第２貫通孔に挿通させた状態において、第１および第２貫通孔から繰り出す紐部材の長さを、指標部材に手で触れることによって、左右対称に調整することが容易になる。
【考案の効果】
【００１０】
本考案によれば、機器を首からぶら下げるためのストラップについて、首の後ろでも、紐部材の左右長さの調整が容易になる。
【図面の簡単な説明】
【００１１】
【図１】ストラップの構成を示す外観図
【図２】機器にストラップを取り付けて首にかけた状態を示す図
【考案を実施するための形態】
【００１２】
以下、本考案の実施形態を、図面に基づいて詳細に説明する。
【００１３】
図１は実施形態に係るストラップの構成を示す外観図であり、図２は機器に図１のストラップを取り付けて首にかけた状態を示す図である。図１のストラップ１は、図２に示すように、首かけライト２のような機器を、ユーザＰの首からぶら下げるために用いられる。
【００１４】
図１において、紐部材１０は、ナイロン（ＰＡ）などからなり、直径４．０ｍｍほどの太さで細長く形成されている。紐部材１０の両端には、ストラップ１を機器に取り付けるための第１取付部１１および第２取付部１２が設けられている。第１および第２取付部１１，１２は、紐部材１０に対して着脱可能になっている。そして、紐部材１０における第１取付部１１と第２取付部１２との間の中央部に、指標部材としてのセンター留具１３が固定されている。ここでは、センター留具１３は、例えばＰＰ（ポリプロピレン）で形成されたリング状の部材であり、そのリング内に紐部材１０が通されている。センター留具１３は、紐部材１０の真ん中に固定されているので、ユーザは、たとえ首の後ろであっても、センター留具１３に触れることによって、紐部材１０の真ん中を認識することができる。
【００１５】
ストラップ１は、細長の板状に形成された板状部材２０を備えている。板状部材２０は、例えば表面が合皮、裏面がポリエステルで形成されており、可撓性を有している。板状部材２０の一方の表面には、長手方向の断面形状が円弧状の膨隆部２１，２２が形成されており、この膨隆部２１，２２と板状部材２０本体表面との間に、長手方向に沿って延びる、第１貫通孔２３および第２貫通孔２４が形成されている。第１および第２貫通孔２３，２４は、板状部材２０の長手方向における中央部に対して対称になるように、すなわちストラップ１を首にかけたとき左右対称になるように、形成されている。
【００１６】
第１および第２貫通孔２３，２４には、紐部材１０が挿通されている。紐部材１０は、第１貫通孔２３には、第１取付部１１側の先から、板状部材２０の中央部から端に向かう向きに挿通されており、また、第２貫通孔２４には、第２取付部１２側の先から、板状部材２０の中央部から端に向かう向きに挿通されている。紐部材１０は第１および第２貫通孔２３，２４内を摺動可能である。ただし、ストラップ１を首にかけて機器を装着したとき、紐部材１０は、第１および第２貫通孔２３，２４の内表面との摩擦によって、その位置がずれないようになっている。そして、第１および第２貫通孔２３，２４の、板状部材２０の中央部側の開口部から、紐部材１０を繰り出した長さによって、ストラップ１に取り付けた機器の位置を調整することができる。紐たばね部材１５は、第１および第２貫通孔２３，２４の開口部から繰り出された紐部材１０の部分をたばねている。
【００１７】
図２に示すように、ユーザＰは、ストラップ１を首かけライト２に取り付けて、自分の首にかける。首かけライト２は、ライト２１ａ，２１ｂから光を前方に照射する機器である。そして、ユーザＰは、首かけライト２が体前面の中央部に、水平に位置するように、ストラップ１の紐部材１０の左右の長さを調整する。そのとき、手で首の後ろにあるセンター留具１３に触れながら、第１および第２貫通孔２３，２４から紐部材１０を繰り出す長さの調整を行う。これにより、首の後ろであっても、紐部材１０の左右長さの調整が容易になる。
【００１８】
本実施形態によると、ユーザＰは、首かけライト２にストラップ１を取り付けて首にかけた状態で、センター留具１３に手で触れることによって、紐部材１０の真ん中の位置を認識することができる。これにより、首からぶら下げた首かけライト２がちょうどいい位置になるように、紐部材１０の長さを左右対称に調整することが容易になる。例えば、紐部材１０を板状部材２０の第１および第２貫通孔２３，２４に挿通させた状態において、第１および第２貫通孔２３，２４から繰り出す紐部材１０の長さを、センター留具１３に手で触れることによって、左右対称に調整することが容易になる。
【００１９】
なお、指標部材としてのセンター留具１３の構造や形状は、ここで示したものに限られるものではなく、手で触れて認識できる形態であればよい。例えば、紐部材１０の表面に形成された突起部のようなものであってもよい。また、本考案に係るストラップによって首からぶら下げる機器は、首かけライトに限られるものではない。
【符号の説明】
【００２０】
１  ストラップ
２  首かけライト（機器）
１０  紐部材
１１  第１取付部
１２  第２取付部
１３  センター留具（指標部材）
２０  板状部材
２３  第１貫通孔
２４  第２貫通孔
【図１】
0003206252.tif 000003
【図２】
0003206252.tif 000004